(57)【要約】【課題】雨水ますの蓋穴を塞ぐことなく、雨水ます内で発生する蚊などの虫を長期に渡って効果的に駆除できる殺虫器具を提供すること。【解決手段】蒸散性殺虫成分を含有する本体部１１を備えた殺虫器具１０であって、雨水ます２０などの水周り設備器具の水面位置の近傍に、前記本体部１１を配置するための配置手段１２を備えた殺虫器具１０とする。【選択図】        図２
2007100464.tif 000002
【特許請求の範囲】
【請求項１】
蒸散性殺虫成分を含有する本体部を備えた殺虫器具であって、
雨水ますなどの水周り設備器具の水面位置の近傍に、前記本体部を配置するための配置手段を備えたことを特徴とする殺虫器具。
【請求項２】
殺虫成分を含有する本体部を備えた殺虫器具であって、
前記本体部が、蒸散性殺虫成分を含有し、水よりも軽い本体上部と、水に溶出する殺虫成分を含有し、水よりも重く、水中に配置される本体下部とからなることを特徴とする殺虫器具。
【請求項３】
一端が前記本体部に取り付けられ、他端が雨水ますの蓋に取り付けられる紐状の配置手段を備えることを特徴とする請求項１または請求項２に記載の殺虫器具。
【請求項４】
前記配置手段または前記本体部の少なくとも一部に、前記蒸散性殺虫成分をこれらの側方下方向に案内する案内部材が形成されていることを特徴とする請求項１〜請求項３のいずれかに記載の殺虫器具。
【発明の詳細な説明】
【技術分野】
【０００１】
本発明は、殺虫器具に関するものであり、特に、雨水ます内で発生する蚊、ユスリカなどの空中、水中に関係する虫を効果的に駆除できる殺虫器具に関する。
【背景技術】
【０００２】
蚊は、日本脳炎、西ナイル熱、マラリア、デング熱などの感染を媒介するため、駆除を行う必要のある虫である。また、雨水ますは、水が滞留するため、蚊の繁殖場所となっている。従来、雨水ますの防蚊方法として、雨水ますの蓋穴から蚊の成虫が出入できなくする防蚊ネットが提案されている（例えば、特許文献１参照）。また、蚊の幼虫であるボウフラを駆除する方法として、水中に昆虫成長抑制剤を投入し、水中でのボウフラの発生を抑制する方法がある。（例えば、非特許文献１参照）。
【特許文献１】特開２００３−１３４９０号公報
【非特許文献１】「ハエ・蚊とその駆除」、財団法人 日本環境衛生センター、平成２年２月２０日、１５４頁
【発明の開示】
【発明が解決しようとする課題】
【０００３】
しかしながら、特許文献１に記載の技術では、雨水ますの蓋穴を蚊の侵入を防ぐネットで塞いでいるので、雨や、埃、枯葉などによって、雨水ますの蓋穴が目詰まりをおこしてしまう場合がある。雨水ますの蓋穴が目詰まりすると、雨水を集めるという雨水ます本来の目的を達成することができなくなる恐れが生じる。
また、雨水ます内の水に昆虫成長抑制剤を投入する方法が考えられる。しかし、昆虫成長抑制剤の薬効は、ボウフラのみにしか作用しないので、雨水ます内の水に昆虫成長抑制剤を投入した場合には、感染を媒介する蚊の成虫に対しての薬効が期待できない。また、雨によって昆虫成長抑制剤の薬効成分が流れ去ってしまうため、ボウフラの発生を抑制する効果が短期間しか得られないという問題があった。
本発明は、上記事情に鑑みてなされたものであって、雨水ますの蓋穴を塞ぐことなく、雨水ます内で発生する蚊、ユスリカなどの空中、水中に関係する虫を長期に渡って効果的に駆除できる殺虫器具を提供することを目的とする。
【課題を解決するための手段】
【０００４】
本発明の殺虫器具は、蒸散性殺虫成分を含有する本体部を備えた殺虫器具であって、雨水ますなどの水周り設備器具の水面位置の近傍に、前記本体部を配置するための配置手段を備えたことを特徴とする。
また、本発明の殺虫器具は、殺虫成分を含有する本体部を備えた殺虫器具であって、
前記本体部が、蒸散性殺虫成分を含有し、水よりも軽い本体上部と、水に溶出する殺虫成分を含有し、水よりも重く、水中に配置される本体下部とからなることを特徴とする。
上記の殺虫器具においては、一端が前記本体部に取り付けられ、他端が雨水ますの蓋に取り付けられる紐状の吊り下げ部材を備えるものとすることができる。ここで、「本体部に取り付け」とは、本体に直接取り付ける場合のほかに、本体をネットなどに収納した場合はそのネットなどに取り付けるように間接的に本体部に取り付ける場合も含まれる。
また、上記の殺虫器具においては、前記配置手段または前記本体部の少なくとも一部に、前記蒸散性殺虫成分をこれらの側方下方向に案内する案内部材が形成されていることを特徴とするものとすることができる。
【発明の効果】
【０００５】
本発明の殺虫器具は、蒸散性殺虫成分を含有する本体部を備え、雨水ますなどの水周り設備器具の水面位置の近傍に、前記本体部を配置するための配置手段を備えたものであるので、設備器具の水面位置の近傍においてに存在する虫を効率よく駆除できる。
また、本発明の殺虫器具は、殺虫成分を含有する本体部を備え、前記本体部が、蒸散性殺虫成分を含有し、水よりも軽い本体上部と、水に溶出する殺虫成分を含有し、水よりも重く、水中に配置される本体下部とからなるものであるので、水面上においては本体上部からの蒸散性殺虫成分の蒸散により蚊の成虫などの虫を駆除でき、水中においては本体下部からの水に溶出する殺虫成分の溶出により、蚊の卵、ボウフラ、蚊のさなぎなどの虫を駆除できる。よって、蚊などの虫を効率よく駆除できる。
しかも、本発明の殺虫器具によれば、雨水ますの蓋穴を塞ぐことなく、雨水ます内で発生する蚊などの虫を長期に渡って効果的に駆除できる。
また、本発明の殺虫器具において、一端が前記本体部に取り付けられ、他端が雨水ますの蓋に取り付けられる紐状の吊り下げ部材を備えるものとすることで、雨水ますの蓋穴を塞ぐことなく、殺虫器具を雨水ます内に容易に設置できる。
さらに、本発明の殺虫器具において、配置手段または前記本体部の少なくとも一部に、前記蒸散性殺虫成分をこれらの側方に案内する案内部材が形成されているものとすることで、本体部から蒸散した蒸散性殺虫成分が配置手段または本体部の側方に案内され、蒸散性殺虫成分が上方に拡散するのを防ぐことができ、水周り設備器具の水面位置の近傍に存在する蚊、ユスリカなどの虫を効率よく駆除できる。また、埃や枯葉などが本体部に付着しにくくなるので、埃や枯葉などによって本体部からの蒸散性殺虫成分の蒸散が妨げられることを防止できる。
【発明を実施するための最良の形態】
【０００６】
（第１実施形態）
以下、本発明の実施の形態を図面を参照して説明する。
図１は、本発明の殺虫器具が設置された雨水ますの一例を示した斜視図であり、図２は図１に示す雨水ますを配水管の延在方向に切断した断面図であり、図３は図１に示す雨水ますを配水管の延在方向と直交する方向に切断した断面図である。
図１〜図３において、符号２０は水周りの設備の一例である雨水ますを示している。雨水ます２０は、本体２１と、本体２１の上部に設けられた蓋枠２１ａに設置される蓋２２と、本体２１の側面２１ｂから外部に向かって延びる配水管２４とを備えている。図２に示すように、配水管２４は、配水管２４の底面２４ａが本体２１の底部２１ｃよりも上部に位置するように取り付けられ、図２および図３に示すように、本体２１の底部２１ｃには、雨水からなる滞留水５が滞留している。
また、図２および図３に示すように、雨水ます２０内には殺虫器具１０が配置されている。殺虫器具１０は、蒸散性殺虫成分を含有する樹脂からなる板状の本体部１１と、吊り下げ部材１２（配置手段）とからなる。本体部１１は、吊り下げ部材１２の長さを調節することにより、図２および図３に示すように、滞留水５の水面近傍に配置されている。より詳細には、本体部１１は、図２に示すように、下端１１ａが配水管２４の底２４ａの水平位置から３０〜１００ｍｍ上となるように高さ位置が調整されている。したがって、雨水ます２０内に雨水が供給され、雨水が配水管２４から流出している間は、本体部１１の下部１１ｄが滞留水５に浸かり、配水管２４からの雨水の流出が停止している間は、本体部１１の下端１１ａが滞留水５の水面の直上に配置されるようになっている。
【０００７】
本体部１１の厚みは、２〜２０ｍｍ程度とされている。本体部１１の厚みが２０ｍｍを越えると、本体部１１の厚み方向中心部に含有されている蒸散性殺虫成分を効率よく蒸散させることができなくなるため好ましくない。さらに、本体部１１の厚みが２０ｍｍを越えると、雨水ます２０中の枯れ葉や埃などが本体部１１の上端１１ｂに引っ掛かって付着しやすくなり、付着した枯れ葉や埃などによって本体部１１からの殺虫成分の蒸散が妨げられる恐れが生じる。また、本体部１１の厚みを２ｍｍ未満とした場合、強度が不十分となり、雨水ます２０内への設置時や降雨時における雨水の流れの衝撃などによって、本体部１１が割れたり欠けたりする恐れが生じ、望ましくない。
【０００８】
また、本体部１１を構成する樹脂としては、例えば、塩化ビニル、ポリカーボネート（ＰＣ）、ポリメタクリル酸メチル（ＰＭＭＡ）、フッ素樹脂、ポリアミド、アクリロニトリル−ブタジエン-スチレン（ＡＢＳ）樹脂、ポリエステル、塩素化ポリエチレン、ポリ乳酸、ポリイミド、ポリプロピレン（ＰＰ）、ポリエチレン（ＰＥ）、エチレン酢酸ビニル共重合体（ＥＶＡ）から選ばれる少なくとも１種を用いることができる。
また、本体部１１を構成する樹脂中に含有される蒸散性殺虫成分としては、例えば、ジクロルボス（ＤＤＶＰ）などの有機リン系殺虫剤や、エンペントリン、トランスフルトリン、プロフルトリンなどのピレスロイド系殺虫剤などを用いることができる。
樹脂中に含有される蒸散性殺虫成分の量は、蒸散性殺虫成分の種類や、駆除しようとする虫の種類、設置される雨水ます２０の容積などによって適宜決定される。例えば、樹脂として塩化ビニルを用い、蒸散性殺虫成分としてＤＤＶＰを用いた本体部１１を備える殺虫器具１０を容積０．０５〜０．５ｍ３の雨水ます２０内に配置する場合には、１５〜２５重量％とすることが望ましい。また、設置される雨水ます２０の容積によっては、複数の本体部を設置しても良い。
【０００９】
さらに、上述した樹脂に可塑剤などの添加剤を添加しても良い。添加剤としては、フタル酸エステル、アジピン酸エステル、セバシン酸エステル、アセチルクエン酸エステル、リン酸エステル、トリメリット酸エステル、アゼライン酸エステル、エポキシ化大豆油、ポリエステル系可塑剤、塩素化パラフィンなどを用いることができる。添加剤の種類や量を調整することで、蒸散性殺虫成分の蒸散量を制御することができる。
例えば、樹脂として塩化ビニルを用い、蒸散性殺虫成分としてＤＤＶＰを用いた場合において、蒸散性殺虫成分の初期の蒸散量を抑え、長期間所定の濃度範囲で蒸散させたい場合には、ゼオライトを濃度１〜１０％、好ましくは５〜１０％で添加することが望ましい。また、樹脂として塩化ビニルを用い、蒸散性殺虫成分としてＤＤＶＰを用いた場合において、蒸散性殺虫成分の初期の蒸散量を高くしたい場合には、アジピン酸エステルなどの可塑剤を濃度１〜２５％、好ましくは１５〜２５％で添加することが望ましい。
さらに、本体部１１の白色度を向上させて美観を向上させるための添加剤として、炭酸カルシウム、タルク、シリカ、酸化チタンなどを添加してもよい。
【００１０】
吊り下げ部材１２は、図１〜図３に示すように、上端部１２ａが雨水ます２０の蓋２２に取り付けられ、下端部１２ｂが本体部１１に取り付けられた紐状のものである。吊り下げ部材１２の上端部１２ａは、蓋２２に形成された穴２３内を連通させて取り付けられることにより、蓋２２に固定されている。吊り下げ部材１２の下端部１２ｂは、本体部１１の上部に設けられた穴１１ｃに通されて本体部１１に取り付けられている。
吊り下げ部材１２としては、ワイヤーを用いることができるが、ナイロンやポリエチレンなどの樹脂からなる紐などを用いることもでき、降雨時に本体部１１が雨水と共に配水管２４から流出しないように支持できる強度を有していればいかなる材質および太さであってもよい。また、本体部をネットなどに入れ、吊り下げ部材１２はこのネットなどに取り付けても良い。
【００１１】
本実施形態においては、殺虫器具１０の蒸散性殺虫成分を含有する本体部１１の下端１１ａが雨水ます２０の滞留水５の水面直上に配置されているので、一般に空気よりも重い蒸散性殺虫成分が本体部１１から蒸散して、滞留水５の水面直上に高濃度の殺虫成分雰囲気が形成され、産卵中の蚊やさなぎから羽化直前の蚊など滞留水５の水面近傍に存在する虫を効率よく駆除できる。
また、本体部１１が雨水ます２０内に配置されているので、雨水ます２０内という蚊の繁殖場所であって対流の少ない囲われた領域内において本体部１１から蒸散性殺虫成分が蒸散することになり、少ない蒸散量で滞留水５の水面近傍に高濃度の殺虫成分雰囲気が容易に形成される。よって、産卵中の蚊やさなぎから羽化直前の蚊など滞留水５の水面近傍に存在する虫を効果的に駆除できる。
また、本実施形態の殺虫器具１０は、上端部１２ａが雨水ます２０の蓋２２に取り付けられ、下端部１２ｂが本体部１１の上部に設けられた穴１１ｃに取り付けられた紐状の吊り下げ部材１２を備えるものであるので、吊り下げ部材１２の長さを調節することにより、本体部１１を雨水ます２０内における所定の高さ位置に容易に設置することができる。
また、殺虫器具１０が、吊り下げ部材１２を備えているので、降雨時に本体部１１が雨水と共に配水管２４から流出するのを防止できる。
しかも、本実施形態の殺虫器具１０によれば、従来の雨水ますの蓋穴を蚊の侵入を防ぐネットで塞ぐ方法のように、雨水ます２０の蓋２２の穴２３を塞ぐことはないし、雨水ます内の水に昆虫成長抑制剤を投入する方法と比較して、降雨による殺虫成分の消費が少ないので、雨水ます２０内で発生する蚊などの虫を長期に渡って効果的に駆除できる。
また、第１実施形態を構成する本体部１１は、例えば、吊り下げ部材１２の長さを調節することにより、本体部１１の下部１１ｄが滞留水５中に配置されるようにしてもよい。本体部１１の下部１１ｄを滞留水５中に配置することで、水面上においては蚊の成虫などの虫を駆除でき、水中においては蚊の卵、ボウフラ、蚊のさなぎなどの虫を駆除できる。
【００１２】
（第２実施形態）
本発明の第２実施形態が第１実施形態と異なるところは、殺虫器具の本体部のみであるので、第２実施形態においては、殺虫器具の本体部のみについて図面を参照して説明し、重複する説明を省略する。
図４は、本発明の殺虫器具を構成する本体部の他の例を示した図であり、図４（ａ）は、図１〜図３に雨水ます２０内に吊り下げ部材１２によって吊り下げられた状態の本体部のみを示した側面図であり、図４（ｂ）は、図４（ａ）に示す本体部から本体下部を取り外した状態を示した図である。
【００１３】
図４（ａ）および図４（ｂ）に示すように、本実施形態の殺虫器具を構成する本体部１６は、本体上部１６ａと、本体下部１６ｂとからなる。なお、本体部１６の外径形状は、第１実施形態の本体部１１と同様とされている。また、本体部１６は、第１実施形態の本体部１１と同様に、降雨時の雨水の流れを妨げることのないように、配水管２４の延在方向と本体部１６の厚み方向とが平行となるように吊り下げ部材１２によって吊り下げられている。
図４（ａ）に示すように、本体上部１６ａと本体下部１６ｂとは、それぞれの接続される辺に形成された嵌合部１７ａ、１７ｂで嵌合されることによって、取り外し可能な状態で一体化されている。本体上部１６ａの嵌合部１７ａは、図４（ｂ）に示すように、対向する内壁同士の距離が底面に向かって広がるように内壁が傾斜した凹部１７ｃと、凹部１７ｃの内壁の傾斜によって頂部に向かって幅が広がっている凸部１７ｄとからなる。また、本体下部１６ｂの嵌合部１７ｂは、本体上部１６ａの嵌合部１７ａと同じ形状の凹部１７ｅおよび凸部１７ｆからなる。そして、本体下部１６ｂの凹部１７ｅが、本体上部１６ａの凸部１７ｄと対向するように配置され、本体下部１６ｂの凸部１７ｆが、本体上部１６ａの凹部１７ｃと対向するように配置されている。
【００１４】
本体上部１６ａは、第１実施形態の本体部１１と同様の蒸散性殺虫成分を含有する樹脂からなる板状のものであって、水よりも軽いものである。本体上部１６ａを構成する樹脂としては、例えば、ポリプロピレン（ＰＰ）、ポリエチレン（ＰＥ）、エチレン酢酸ビニル共重合体（ＥＶＡ）の不発泡体や発泡体（発泡倍率１．１〜３０倍）から選ばれる少なくとも１種を用いることができる。
また、本体下部１６ｂは、水に溶出する殺虫成分を含有する樹脂からなる板状のものであって、水よりも重く、水中に配置されるものである。本体下部１６ｂを構成する樹脂としては、例えば、塩化ビニル、ポリカーボネート（ＰＣ）、ポリメタクリル酸メチル（ＰＭＭＡ）、フッ素樹脂、ポリアミド、アクリロニトリル−ブタジエン-スチレン（ＡＢＳ）樹脂、ポリエステル、ポリ乳酸、ポリイミドから選ばれる少なくとも１種を用いることができる。
本体下部１６ｂに含有される水に溶出する殺虫成分としては、例えば、ジクロルボス（ＤＤＶＰ）などの有機リン系殺虫剤や、エンペントリン、トランスフルトリン、プロフルトリンなどのピレスロイド系殺虫剤などを用いることができる。また、ピリプロキシフェン、ジフルベンズロン、メトプレン、ノバルロンなどのＩＧＲ剤（昆虫成長抑制剤）を併用してもよい。
なお、本体上部１６ａに含有される蒸散性殺虫成分と、本体下部１６ｂに含有される水に溶出する殺虫成分とでは、同じ殺虫成分とすることができるが、異なっていても良い。
【００１５】
また、本体上部１６ａおよび本体下部１６ｂにおいても、第１実施形態の本体部１１と同様、上述した樹脂に第１実施形態と同様の添加剤を添加しても良い。
さらに、本体下部１６ｂにおいては、白色度を向上させて美観を向上させるとともに、重くするための添加剤として、炭酸カルシウム、タルク、シリカ、酸化チタンなどを添加してもよい。
また、本実施形態においては、吊り下げ部材１２の長さは、少なくとも本体下部１６ｂが滞留水中に配置されるように調節されている。なお、吊り下げ部材１２の長さを、本体上部１６ａが滞留水中に配置される長さとした場合であっても、本体上部１６ａが水に浮くものであるため、本体上部１６ａ全体が滞留水５中に配置されることはない。したがって、吊り下げ部材１２の長さは、本体下部１６ｂが滞留水５中に配置される長さであればよく、第１実施形態のように、本体部１１を滞留水５の水面の直上に配置する場合と比較して、吊り下げ部材１２の長さを調整することによる本体部１６の高さ位置の調整が一層容易である。
【００１６】
本実施形態においては、本体部１６が、水よりも軽い本体上部１６ａと、水よりも重い本体下部１６ｂとからなり、本体下部１６ｂが水中に配置されているので、水面上においては、本体上部１６ａからの蒸散性殺虫成分の蒸散により、上述した第１実施形態と同様、滞留水５の水面近傍で産卵中の蚊やさなぎから羽化直前の蚊を効率よく駆除できる。さらに、本実施形態においては、水中において、本体下部１６ｂからの水に溶出する殺虫成分の溶出により、蚊の卵、ボウフラ、蚊のさなぎ、さなぎから羽化直前の蚊を効率よく駆除できる。
また、本体下部１６ｂが雨水ます内の水中に配置されているので、蚊の繁殖場所であって、降雨時以外に流入および流出のない囲われた水域内において、水に溶出する殺虫成分が溶出することになり、少ない溶出量で滞留水５中に高濃度に殺虫成分を含む水溶液が容易に形成されることになる。よって、産卵中の蚊やさなぎから羽化直前の蚊を効果的に駆除できる。なお、雨水ます内で生成された殺虫成分を含む水溶液が雨水ますから流出される際には、雨水ます内に流入してくる雨水とともに流出されるので、雨水ますから流出される殺虫成分を含む水溶液中の殺虫成分濃度は、雨水ます内に滞留していた殺虫成分を含む水溶液と比較して極端に低下した状態とされる。
【００１７】
また、本体上部１６ａと本体下部１６ｂとが、嵌合部１７ａ、１７ｂで嵌合されることによって取り外し可能な状態で一体化されているので、雨水ます内に設置した後に、本体上部１６ａと本体下部１６ｂのいずれか一方のみ交換することができる。この交換は、例えば、以下に示す場合などに好適に行なうことができ、季節や駆除の対象とされる虫の生態、降雨量などに応じて行なうことができる。
（１）ヒトスジシマカなど卵の状態で越冬する蚊を駆除する場合には、冬季には水面上に生息する成虫の蚊の頭数が少なくなる。したがって、冬季に本体上部１６ａおよび本体下部１６ｂの殺虫成分の蒸散量が低下した場合に、本体下部１６ｂのみ交換しても十分に蚊の駆除効果が得られる。
（２）アカイエカなど成虫の状態で越冬する蚊を駆除する場合には、冬季には水中に生息する卵、ボウフラ、さなぎの蚊の頭数が少なくなる。したがって、冬季に本体上部１６ａおよび本体下部１６ｂの殺虫成分の蒸散量が低下した場合に、本体上部１６ａのみ交換しても十分に蚊の駆除効果が得られる。
（３）大雨や長雨などによって、本体上部１６ａからの殺虫成分の蒸散量が低下していないのに、本体下部１６ｂの殺虫成分の溶出量が著しく低下してしまった場合に、本体下部１６ｂのみ交換すれば、本体上部１６ａを交換することなく、十分に蚊の駆除効果が得られる。
【００１８】
なお、本発明の殺虫器具は上述した第１実施形態または第２実施形態に限定されるものではない。例えば、第１実施形態または第２実施形態においては、本体部として樹脂からなる板状のものを用いたが、本体部は、木材や金属、セラミックなどからなる板や、ブロック、箱体に蒸散性殺虫成分または水に溶出する殺虫成分を含有させたものとしてもよい。
また、例えば、第１実施形態を構成する本体部として蒸散性殺虫成分および水に溶出する殺虫成分を含有するものを用い、吊り下げ部材１２の長さを調節することにより、本体部の下部が滞留水中に配置されるようにしてもよい。
このような本体部を備えた殺虫器具とすることで、上述した第２実施形態と同様、水面上においては本体部からの蒸散性殺虫成分の蒸散により虫を駆除し、水中においては水に溶出する殺虫成分の溶出により虫を駆除できるものとなる。
また、上述した実施形態においては、水周りの設備の一例として、雨水ますを例に挙げて説明したが、雨水ますに限定されるものではなく、例えば、消火用水槽、雨水貯留槽、ビルの地下水槽などを挙げることができる。
【００１９】
また、例えば、第１実施形態または第２実施形態の殺虫器具には、図５〜図７に示すように本体部を上方から覆う案内カバー（案内部材）が取り付けられていてもよい。図５〜図７に示す案内カバーは、蒸散性殺虫成分を本体部の側方下方向に案内するものである。
図５は、第１実施形態の本体部に取り付けられた案内カバーの一例を説明するための図である。図５（ａ）は本体部の側面図であり、図５（ｂ）は本体部の正面図である。図５に示す案内カバー１３は、切妻屋根状のものであり、上端部で一体化された２枚の板状部材１３ａ、１３ａからなるものである。２枚の板状部材１３ａ、１３ａは、上端部において吊り下げ部材１２に取り付けられ、図５（ａ）に示すように、それぞれ本体部１１の上端１１ｂに接し、本体部１１を厚み方向から挟み込むように覆っている。
２枚の板状部材１３ａ、１３ａのなす角度は、小さい程、本体部１１から蒸散した殺虫成分が上方に拡散するのを防ぐことができるとともに、本体部１１に埃や枯葉などが付着しにくくなるため望ましい。しかし、２枚の板状部材１３ａ、１３ａのなす角度を小さくすると、本体部１１の上端１１ｂよりも上に配置される板状部材１３ａの長さが長くなり、雨水ます内に設置できなくなる恐れが生じる。
【００２０】
また、板状部材１３ａの幅１３ｂは、図５（ｂ）に示すように、本体部１１の幅１１ｅよりも大きくされている。板状部材１３ａの幅１３ｂが狭いと、本体部１１を埃や枯葉などから十分に保護することができない場合が生じる。また、板状部材１３ａの幅１３ｂが広いと、設置可能な雨水ます２０の大きさが限定されてしまう恐れが生じる。また、板状部材１３ａの長さは、雨水ます内の滞留水５の直上への蒸散性殺虫成分の拡散を妨げることのないように、滞留水５の水面より上に板状部材１３ａの下端部が配置される長さとされている。
板状部材１３ａ、１３ａとしては、例えば、塩化ビニル、ポリカーボネート（ＰＣ）、ポリメタクリル酸メチル（ＰＭＭＡ）、フッ素樹脂、ポリアミド、アクリロニトリル−ブタジエン-スチレン（ＡＢＳ）樹脂、ポリエステル、塩素化ポリエチレン、ポリ乳酸、ポリイミド、ポリプロピレン（ＰＰ）、ポリエチレン（ＰＥ）、エチレン酢酸ビニル共重合体（ＥＶＡ）から選ばれる少なくとも１種の樹脂や、木材、金属、セラミックなどからなる板を用いることができ、耐久性に優れた材料を用いることが望ましい。
【００２１】
図５に示す殺虫器具では、本体部１１を上方から覆う案内カバー１３が取り付けられているので、本体部から蒸散した殺虫成分が上方に拡散するのを防ぐことができる。また、埃や枯葉などが本体部に付着しにくくなるので、埃や枯葉などによって本体部１１からの殺虫成分の蒸散が妨げられることを防止できる。
【００２２】
図６は、第１実施形態の本体部に取り付けられた案内カバーの他の例を説明するための側面図である。図６に示す案内カバー１４は、円錐状のものであり、頂部１４ａが吊り下げ部材１２に取り付けられている。案内カバー１４の内壁の上部には、本体部１１の上端１１ｂが接している。
案内カバー１４の頂部１４ａの角度は、小さい程、本体部１１から蒸散した殺虫成分が上方に拡散するのを防ぐことができるとともに、本体部１１に埃や枯葉などが付着しにくくなるため望ましい。しかし、頂部１４ａ角度を小さくすると、本体部１１の上端１１ｂよりも上に配置される案内カバー１４の長さが長くなり、雨水ます内に設置できなくなる恐れが生じる。
また、案内カバー１４の外径１４ｂは、図６に示すように、本体部１１の幅１１ｅよりも大きくされている。案内カバー１４の外径１４ｂが狭いと、頂部１４ａ角度が小さくなり、本体部１１の上端１１ｂよりも上に配置される案内カバー１４の長さが長くなり、雨水ます内に設置できなくなる恐れが生じる。また、案内カバー１４の外径１４ｂが広いと、降雨時に流入した雨水が案内カバー１４を押し流そうとする力が大きくなり、降雨時における吊り下げ部材１２への負荷が大きくなるので好ましくない。さらに、案内カバー１４の外径１４ｂが広いと、設置可能な雨水ます２０の大きさが限定されてしまう恐れが生じる。また、案内カバー１４は、案内カバー１４と滞留水５の水面５ａとによって囲われた空間を形成することにより、雨水ます内における蒸散性殺虫成分と虫との接触や蒸散性殺虫成分の拡散を妨げることのないように、滞留水５の水面５ａより上に案内カバー１４の下端部が配置されている。これにより、蒸散性殺虫成分が案内カバー１４の下縁部から側方に向けて蒸散させることができ、水面５ａ近傍に蒸散性殺虫成分の流れが作られ、水面５ａ上でふ化している途中のボウフラに対する殺虫効果が有効に発揮される。
【００２３】
案内カバー１４としては、図５に示す板状部材１３ａ、１３ａと同様の材料からなるものを用いることができる。
【００２４】
図７は、第１実施形態の本体部に取り付けられた案内カバーの他の例を説明するための図である。図７（ａ）は本体部の幅方向から見た側面図であり、図７（ｂ）は本体部の厚み方向から見た側面図である。図５に示す案内カバー１５は、箱状の本体１５ｂと、本体１５ｂの側面に設けられた窓１５ｃと、窓１５ｃの上辺に沿って設けられた庇１５ａとを備えたものである。本体１５ｂの上端は、吊り下げ部材１２に取り付けられ、図７（ｂ）に示すように、本体部１１全体を取り囲むように覆っている。
窓１５ｃの大きさは、本体部１１からの蒸散性殺虫成分の蒸散量などによって決定することができる。また、庇１５ａの大きさや庇１５ａの傾斜角度は、設置場所などに応じて決定される。
【００２５】
図６および図７に示す殺虫器具においても、本体部１１を上方から覆う案内カバー１４、１５が取り付けられているので、本体部から蒸散した殺虫成分が上方に拡散するのを防ぐことができる。また、埃や枯葉などが本体部に付着しにくくなるので、埃や枯葉などによって本体部１１からの殺虫成分の蒸散が妨げられることを防止できる。
さらに、図６および図７に示す殺虫器具では、図５に示す殺虫器具と比較して、案内カバーによって覆われている部分の割合が多いので、殺虫成分が上方に拡散するのを防ぐ効果や、埃や枯葉などによって本体部１１からの殺虫成分の蒸散が妨げられることを防ぐ効果が、より一層効果的に得られる。
【００２６】
＜実験例１＞
長さ２１５ｍｍ、幅６５ｍｍ、厚み７ｍｍのＤＤＶＰを１６％含有する塩化ビニルからなる本体部をポリエチレン製のメッシュに入れたものを用意し、メッシュの上部に吊り下げ部材である直径０．５ｍｍのワイヤーを通し、本体部に吊り下げ部材が取り付けられた殺虫器具を得た。
このようにして得られた殺虫器具の吊り下げ部材を、容積０．０５ｍ３の雨水ますの蓋に形成された穴内を連通させて取り付け、本体部の下半分が配水管の底の水平位置より下となるように、配水管の底の水平位置まで滞留水のたまっている雨水ます内に、殺虫器具を配置した。
【００２７】
＜実験例２＞
実験例１と同様の殺虫器具を、配水管の底の水平位置まで滞留水のたまっている実験例１と同様の雨水ます内に、本体部の下端が配水管の底の水平位置から５０ｍｍ上となるように配置した。
【００２８】
そして、実験例１および実験例２において、雨水ますに殺虫器具を設置する前、設置２週間後、設置４週間後、設置６週間後の蚊の幼虫および蚊の成虫の生息状況を調べた。その結果を表１に示す。
【００２９】
【表１】
2007100464.tif 000003
【００３０】
表１において（−）は、０頭であることを示し、（＋）は、１〜９頭であることを示し、（＋＋）は、１０〜９９頭であることを示し、（＋＋＋）は、１００頭以上であることを示す。
【００３１】
＜実験例３＞
配水管の底の水平位置まで滞留水のたまっている実験例１と同様の雨水ますを用意し、雨水ますに殺虫器具を設置せずに、実験例１および実験例２と同様にして、雨水ますに生息する蚊の生息状況を調べた。その結果を表１に示す。
【００３２】
＜実験例４＞
配水管の底の水平位置まで滞留水のたまっている実験例１と同様の雨水ます内の滞留水に、昆虫成長抑制剤であるピリプロキシフェン１０ｍｇを投入した。
そして、実験例４において、雨水ますに昆虫成長抑制剤を投入する前、投入２週間後、投入４週間後、投入６週間後の蚊の幼虫および蚊の成虫の生息状況を調べた。その結果を表１に示す。
【００３３】
表１より、実験例１では、設置２週間後以降、蚊の幼虫および蚊の成虫の生息が確認されず、蚊の駆除効果が非常に高いことが確認できた。
また、実験例２では、感染を媒介しない蚊の幼虫については、駆除効果は確認できなかった。しかし、感染を媒介する蚊の成虫については、設置２週間後以降の生息が確認されず、蚊の駆除効果が高いことが確認できた。
【００３４】
また、実験例４では、感染を媒介しない蚊の幼虫については、昆虫成長抑制剤の投入２週間後で生息が確認されず、投入４週間後、投入６週間後でも１〜９頭であり、駆除効果が確認できた。しかし、感染を媒介する蚊の成虫については、昆虫成長抑制剤の投入前よりも非常に数が増えており、駆除効果は見られなかった。
【図面の簡単な説明】
【００３５】
【図１】図１は、本発明の殺虫器具が設置された雨水ますの一例を示した斜視図である。
【図２】図２は図１に示す雨水ますを配水管の延在方向に切断した断面図である。
【図３】図３は図１に示す雨水ますを配水管の延在方向と直交する方向に切断した断面図である。
【図４】図４は、本発明の殺虫器具を構成する本体部の他の例を示した図である。
【図５】図５は、第１実施形態の本体部に取り付けられた案内カバーの一例を説明するための図である。
【図６】図６は、第１実施形態の本体部に取り付けられた案内カバーの他の例を説明するための側面図である。
【図７】図７は、第１実施形態の本体部に取り付けられた案内カバーの他の例を説明するための図である。
【符号の説明】
【００３６】
５…滞留水、１０…殺虫器具、１１、１６…本体部、１１ａ…下端、１１ｂ…上端、１１ｃ…穴、１１ｄ…下部、１１ｅ…幅、１２…吊り下げ部材（配置手段）、１２ａ…上端部、１２ｂ…下端部、１３、１４、１５…案内カバー（案内部材）、１３ａ…板状部材、１３ｂ…幅、１４ａ…頂部、１４ｂ…外径、１５ａ…庇、１５ｂ…本体、１５ｃ…窓、１６ａ…本体上部、１６ｂ…本体下部、１７ａ、１７ｂ…嵌合部、１７ｃ、１７ｅ…凹部、１７ｄ、１７ｆ…凸部、２０…雨水ます、２１…本体、２１ａ…蓋枠、２１ｂ…側面、２１ｃ…底部、２２…蓋、２３…穴、２４…配水管、２４ａ…底面。
【図１】
2007100464.tif 000004
【図２】
2007100464.tif 000005
【図３】
2007100464.tif 000006
【図４】
2007100464.tif 000007
【図５】
2007100464.tif 000008
【図６】
2007100464.tif 000009
【図７】
2007100464.tif 000010